【手続補正書】
【提出日】平成15年7月29日(2003.7.29)
【手続補正１】
【補正対象書類名】明細書
【補正対象項目名】全文
【補正方法】変更
【補正の内容】
【発明の名称】盗難防止装置
【特許請求の範囲】
【請求項１】箱体と、この箱体に適宜のヒンジを介し前記箱体の開口を開閉する蓋体とで構成したケースにおいて、このケースの箱体及び蓋体の両周壁所要辺に噛み合い状の嵌り込みにより直列状に並ぶ筒状体を設けると共に、この直列状に並ぶ筒状体に閂用のキー部材を抜き差し自在に挿入し、このキー部材とケース或いは筒状体との対向面に前記キー部材の差し込みにともない押し戻され、差し込み終了にともない係合関係になるような係止手段を設けたことを特徴とする盗難防止装置。
【請求項２】前記箱体或いは蓋体のいずれか片方に直列状に並ぶ筒状体を被う隠蔽板を設けたことを特徴とする請求項１に記載の盗難防止装置。
【請求項３】前記キー部材に盗難防止タグを設けたことを特徴とする請求項１に記載の盗難防止装置。
【発明の詳細な説明】
【０００１】
【発明の属する技術分野】
この発明は、ケースに収納してある各種レンタル商品や各種販売商品のケースからの抜き取りを防止し、またケース毎店外への持ち出しを防止する形式の盗難防止装置に関する。
【０００２】
【従来の技術及びその課題】
従来、レンタルショップでの盗難防止手段としては、既知のように、ショツプの棚にレンタル商品の収納ケースを並べておくと、ケースに開放防止の手段がないためケースからレンタル商品が抜き取られて盗難に遇う。
【０００３】
そこで、ショップの棚に空のケースを並べて陳列しておき、顧客が陳列してある所望のレンタル商品名の空のケースを取り出してカウンタに持参すると、カウンタ内の店員によって空のケースの表示レンタル商品を保管場所から取り出し、かつ所定のレンタル手段をして貸し出す。
【０００４】
このような手段を採用すると、顧客が直接レンタル商品に手をふれることがないので、レンタル商品の盗難を防止することかできる。
【０００５】
しかしながら、店員による保管場所からのレンタル商品の選出や整然とした保管などによって著しく手数がかかり、かつスムーズな貸し出しが困難になると共に、広い保管場所を必要とするなどの問題があった。
【０００６】
一方、ショップの棚にレンタル商品の収納ケースを陳列し、顧客が陳列してある所望のレンタル商品をケースから取り出してカウンタに持参し、レンタル手続きをすることにより前述のような問題を解決することができる。
【０００７】
しかしながら、顧客が直接レンタル商品を手にするので、店外にレンタル商品が持ち出され、盗難に遇う。
【０００８】
そこで、盗難を防止するため、レンタル商品の任意の位置に固有のＩＤコード（電源のない）をもつ盗難防止タグが取り付けられ、ショップの出入口には、所定の高周波電磁界を発生させておき、レンタル商品が出入口を通過する際に前記ＩＤコードの共振回路が共振して固有のＩＤコードを発信し、高周波電磁界が変調することによりそれを検出してレンタル商品の通過を検出し、それが貸し出されたものであるか、又無断で持ち出されたものであるかを店員が監視するようにしている。
【０００９】
しかしながら、カウンタでのレンタル手続きの際に上記のＩＤコード（タグ）を何らかの方法でシールドしなければ、所定の手続きをして貸し出されたレンタル商品であっても無断で持ち出されたものと同様に検出される不都合があった。
【００１０】
このため、シールドの手続きにわずらわしい作業が必要になると共に、シールド用備品によりコストが大幅にアップする問題があった。
【００１１】
そこで、この発明の課題は、上述の問題を解決することにある。
【００１２】
【課題を解決するための手段】
上記の課題を解決するために、箱体と、この箱体に適宜のヒンジを介し前記箱体の開口を開閉する蓋体とで構成したケースにおいて、このケースの箱体及び蓋体の両周壁所要辺に噛み合い状の嵌り込みにより直列状に並ぶ筒状体を設けると共に、この直列状に並ぶ筒状体に閂用のキー部材を抜き差し自在に挿入し、このキー部材とケース或いは筒状体との対向面に前記キー部材の差し込みにともない押し戻され、差し込み終了にともない係合関係になるような係止手段を設けた構成を採用する。
【００１３】
また、前記箱体或いは蓋体のいずれか片方に直列状に並ぶ筒状体を被う隠蔽板を設けることもある。
【００１４】
さらに、前記キー部材に盗難防止タグを設けることもある。
【００１５】
【発明の実施形態】
この発明の実施形態に用いる盗難防止ケースＡ”は、図１から図３に示すように、箱体５１と、この箱体５１に適宜のヒンジ５２を介し箱体５１の開口５３を開閉する蓋体５４とで商品ａの収納ケースＡ”を形成する。
【００１６】
上記の箱体５１は、図示の場合側壁５と、この側壁５の周縁から連なって側壁５の裏面方向に突出する周壁６とで形成され、上記の蓋体５４は、図示の場合側壁７と、この側壁７の周縁から連なって側壁７の裏面方向に突出すると共に、周壁６の外側に嵌合する（図示の場合で、周壁６の内側に嵌合することも可能）周壁８とで形成し、上記のヒンジ５２は、図示の場合周壁６の下位辺壁にハーフカットのヒンジ５２を介し側壁７を連成すると共に、周壁６の下位辺壁の両端縁を周壁６の両側辺壁の下端縁に対し切り離し、かつ周壁６の下位辺壁を側壁５に対しハーフカットのヒンジ５２を介し連成して、蓋体５４の開放度合いが大きくなるようにしたが、必ずしも限定されず、別々に形成した箱体と蓋体とを穴と突軸の嵌め合いなどのヒンジを介し組み立てることもある。
【００１７】
上記ケースＡ”を形成する箱体５１と蓋体５４との両周壁の所要辺（図示の場合ヒンジ５３に対向する辺縁に設けるが、箱体５１及び蓋体５４の対向する側壁５、７の側辺に設けることもある）には、噛み合い状の嵌り込みにより直列状に並ぶ筒状体５５が設けてある。
【００１８】
上記の筒状体５５は、図示の場合箱体５１や蓋体５４の収納空間の両側縁部を切り離してあるが、例えば周囲四面の筒体であってもよい。
【００１９】
また、直列状に並んだ筒状体５５にキー部材１０を抜き差し自在に差し込んで、差し込んだキー部材１０により筒状体５５の直列維持をはかって箱体５１に対する蓋体５４の開放を阻止する。
【００２０】
さらに、キー部材１０とケースＡ”或いは筒状体５５との対向面には、キー部材１０の差し込みにともない押し戻され、差し込み終了にともない抜け止めの係合関係になる係止手段５６が設けてある。
【００２１】
上記の係止手段５６は、例えば、係合爪１２と係合部１３とからなり、係合爪１２は、図示の場合キー部材１０に、係合部１３は、筒状体５５に設けたが、逆に設けても差し支えがない。
【００２２】
また、係合爪１２は、図示の場合キー部材１０に両端がキー部材１０の差し込み方向の反対方向にコ字状のスリット１４を入れて、このスリット１４の内側を係合部１３側に突出させて、キー部材１０と係合爪１２との一体成形する合成樹脂の特性により復元力（弾力性）を付与したが、復元力を有する別部品の係合爪１２を接着材などを介し取付け（貼り付け）て設けることもできる。
【００２３】
すると、ケースＡ”に商品ａ（例えばレンタル店にあっては、ディスク）を収納したのち、閉鎖にともない図２に示すように箱体５１と蓋体５４との直列状に並ぶ筒状体５５にキー部材１０を挿入する。
【００２４】
キー部材１０の挿入にともない係合部１３に当接した係合爪１２は押し戻され、キー部材１０の挿入終了にともない係合部１３を乗りこえた係合爪１２は、押し戻しが解除されて復帰すると共に、復帰にともない図２に示すように係合部１３に係合爪１２が係合し、係止手段５６の係合関係によりケースＡ”に対しキー部材１０の引き抜きが阻止される。
【００２５】
このため、陳列時のケースＡ”から商品Ａの抜き取り、すなわち、盗難防止になる。
【００２６】
そして、キー部材１０には、図１に示すように固有ＩＤコード（電源のない）をもつ盗難防止タグ１６が設けてあるので、このタグ１６によってキー部材１０の挿入ずみケースＡが店の出入口を通過する際に上記のＩＤコードの共振回路が共振して固有のＩＤコードを発信し、高周波電磁界が変調することによりそれを検出して商品ａの（ケースＡ毎）通過を検出する。
【００２７】
それが無断で持ち出されたものであるかを店員が監視して盗難を防止する。
【００２８】
上記挿入してあるキー部材１０の店側による抜き取り及び回取は、図３に示すような係合爪１２と係合部１３との係合関係を解除する店側保管の解除具１７を使用する。
【００２９】
上記の解除具１７による係合部１３と係合爪１２との係含関係の解除は、図３に示すように、キー部材１０と筒状体との間隙４６に解除具１７を差し込み、差し込み終了直前から終了迄の間に、解除具１７の差し込み先行端から係合爪１２に向けて突出する突片２０が係合爪１２の突出方向端縁の中央から内方に向く切欠き部２１に嵌入すると共に、突片２０の係合爪１２側面に設けてある先端に向う程薄肉厚のテーパー部２２と切欠き部２１の内端（底側）縁との当接と、突片２０の押し込み続行により図３に示す係合部１３に対し係合関係にある係合爪１２を押し戻して、図３に示すように係合部１３と係合爪１２との係合関係を解除する。
【００３０】
従って、解除具１７を引き抜くと共にキー部材１０も引き抜かれ、キー部材１０の引き抜きにともない蓋体５４の開放が可能になり、引き抜いた解除具１７及びキー部材１０を店側に残すと共に、ケースＡ”は、販売或は貸し出しケースとして使用でき、店側に残したキー部材１０は再使用する。
【００３１】
上記解除具１７とキー部材１０との一体的な引き抜きは、復帰力の作用する係合爪１２の突片２０への押し付けや、対向面が重なり合うキー部材１０と解除具１７との摩擦力を利用する以外に、キー部材１０と解除具１７とに、解除具１７の差し込み終了にともない嵌り込み掛合する引き抜き掛合部２３を利用して、キ一部材１０の確実な引き抜きを保障する。
【００３２】
上記の掛合部２３としては、例えば図示の場合解除具１７に両端が解除具の末端方向に向くコ字状のスリット（図示省略）を入れて、このスリットの内面をキー部材１０側に押し出した復帰力の付与掛止爪２５と、キー部材１０に解除具１７の差し込み終了にともない復帰力の作用により掛止爪２５が嵌り込み掛合するように設けた掛止部２６とで構成されている。
【００３３】
なお、キー部材１０に掛止爪２５を、解除具１７に掛止部２６を設けることもでき、掛止爪２５は一体的に設ける以外に、別部品の接着材などによる固着によって設け、また突起など同様の働きをするものでもよい。そして掛止部２６は、図示の貫孔に限定されず、例えば凹部などであってもよい。
【００３４】
また、係合爪１２或いは係合部１３の少なくとも片方を複数配置して、店毎に係合爪１２と係合部１３との係合関係位置を変更する。
【００３５】
すると、各店毎解除具１７が異なり、他店の解除具１７やコピーされた解除具による係合爪１２と係合部１３との係合関係の解除ができなくなり、盗難防止に著しく貢献する。
【００３６】
上記の係合爪１２と係合部１３との係合関係の位置を変更する手段としては、図１に示すようにケースＡ”側に係合部１３を複数列（キー部材１０の挿入方向に対し交差する多段状に配列する）設けて、この所望の係合部１３に係合する係合爪１２をキー部材１０に設ける。
【００３７】
勿論、キー部材１０に係合部１３を、ケースＡ”側に係合部１３を設けてもよい。
【００３８】
すると、所定の係合部１３に係合爪１２を係合させるように係合爪１２の変更が可能になるので、変更すなわち係合爪１２の位置に適合した解除具１７を必要とするので、店毎の解除具１７が必要になり、他店のケースの係合爪１２と係合部１３との係合関係が解除できず、盗難防止に貢献する。
【００３９】
他の手段としては、係合爪１２を複数設けて、この係合爪１２の数に適合する突片２０を設けたり、複数の係合爪１２の対向間隔を大きくしたり、或いは小さくしたり、複数の係合爪１２をキー部材１０の挿入方向に対し段違いにする。
【００４０】
すると、係合爪１２と係合部１３との係合関係の位置が一様でなく幾通りも（無数に）できて、１つの解除具１７での他店の解除ができなくなる。
【００４１】
その他の手段として、キー部材１０と解除具１７とに設ける掛止爪２５と掛止部２６とからなる掛合部２３の位置を変更することにより、係合爪１２と係合部１３との組み合わせ以外に数を多くすることができる。
【００４２】
上記の係合部１３は、図１、図２に示す鋸歯状の突状３１以外に、線状や点在的な凹部（溝）や、線状や点在的な突起（凸部）であってもよい。
【００４３】
その他の手段としては、掛合部２３の形状が店毎に変更してある。
【００４４】
上記掛合部２３の形状変更は、掛止爪２５と掛合部２６との嵌り込み形状を丸、多角（三角形、長方形、正方形）などにする以外に、掛止部２６を形成する貫孔や凹入部の形状を上段の幅が下段の幅よりも小さくなる多段状とし、この多段の上段のみ中段のみ、下段のみに嵌り込んで引っかかる掛止爪２５の幅を店毎にかえて解除具１７に一体成形、別部品の貼り付けなどにより設けると、上述のような店の解除具１７を他店で使用できなくなる。
【００４５】
勿論、対向面に設ける係合爪１２及び係合部１３は、キー部材１０の側縁と筒状体５５の前記側縁に対向面に設けてもよい。
【００４６】
また、図４に示すように箱体５１或いは蓋体５４のいずれか片方に直列状に並ぶ筒状体５５を被う（重なりによって）隠蔽板５７を設けて、直列状に並ぶ筒状体５５の噛み合い状の嵌り込みを隠蔽して破損（こじ開け）などを防止する。
【００４７】
上記の隠蔽板５７は、図示の場合蓋体５４に設けたが、箱体５１に設けることもある。
【００４８】
図中５８は挿入キー部材１０のストッパである。
【００４９】
【発明の効果】
以上のように、この発明の盗難防止装置は、ケースを構成する箱体と蓋体との噛み合い状の嵌め込みによって直列状に並ぶ筒状体にキー部材を挿入すると共に、挿入したキー部材を店側の解除具の使用によって引き抜くことができないようにしてあるので、ケースに収納してある商品の盗難を防止し、かつ直列状に並ぶ筒状体を隠蔽板により隠蔽してあるので、キー部材の挿入部分の破損などを防止することもできる。
【００５０】
また、キー部材にタグを設けて、店側に引き抜いたキー部材を回収するので、手間のかかるシールド作業が不要になる。
【図面の簡単な説明】
【図１】この発明の実施形態を示す斜視図
【図２】キー部材を差し込んだ状態の縦断側面図
【図３】解除具の使用を示す縦断側面図
【図４】ケースに隠蔽板を設けた斜視図
【符号の説明】
Ａ”      ケース
５１      箱体
５２      ヒンジ
５３      開口
５４      蓋体
５５      筒状体
５６      係止手段
５７      隠蔽板
５８      ストッパー
１０      キー部材
１２      係合爪
１３      係合部
１６      タグ
１７      解除具


【手続補正２】
【補正対象書類名】図面
【補正対象項目名】全図
【補正方法】変更
【補正の内容】
【図１】
2002115435.tif 000001
【図２】
2002115435.tif 000002
【図３】
2002115435.tif 000003
【図４】
2002115435.tif 000004